(57)【要約】      （修正有）【課題】OFDM信号のＦＦＴずれによる位相回転を補正する回路規模を削減し、演算精度を向上させる。【解決手段】有効シンボルにガードインターバルが付加されて変調された信号を受信する受信装置の復調用のFFT窓の取り出し位置のずれによる生じる位相回転を検出する手段において、極座標変換回路、位相検出回路、直交座標変換回路で位相回転量を検出し、伝送路特性をF(ω)、位相ずれによる位相回転を持つ主波成分をD(ω)として、回り込みのキャンセル誤差Eｃ（ω）を式（1）、マルチパスのキャンセル誤差Eｍ（ω）を式（２）の特性式より求め、回り込みのキャンセルとマルチパスのキャンセルを行う。式（１）2010124109.tif 000005式（２）2010124109.tif 000006【選択図】図１
2010124109.tif 000002
【特許請求の範囲】
【請求項１】
有効シンボルにガードインターバルが付加されて変調された信号を受信する受信装置の復調用のFFT窓の取り出し位置のずれによる生じる位相回転を検出する手段において、極座標変換回路、位相検出回路、直交座標変換回路で構成された位相回転量の推定回路を有することを特徴とする位相回転検出手段。
【請求項２】
有効シンボルにガードインターバルが付加されて変調された信号を受信する受信装置の受信信号の先行波や遅延波などのマルチパス波をキャンセルする装置において、請求項１の位相回転検出手段を有し、上記位相回転検出手段で主波成分を検出することを特徴とするマルチパス波キャンセル装置。
【請求項３】
有効シンボルにガードインターバルが付加されて変調された受信信号を同じ周波数で再送信する中継装置の、受信アンテナに再送信信号が受信して生ずる回り込み波をキャンセルする装置において、請求項１の位相回転検出手段を有し、上記位相回転検出手段で主波成分を検出することを特徴とする回り込み波キャンセル装置。
【発明の詳細な説明】
【技術分野】
【０００１】
本発明は、ガードインターバルが付加されているデジタル変調方式で変調された映像信号または音声信号またはデータを伝送する伝送システムの受信装置、あるいは中継装置に関する。
【背景技術】
【０００２】
近年、直交周波数分割多重(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ)変調方式（以下ＯＦＤＭ方式と称す）が地上デジタル放送などに採用されている。地上デジタル放送のＯＦＤＭ方式はガードインターバルが付加されているため、マルチパスの遅延時間がガードインターバル期間内であれば適切な位置にＦＦＴ時間窓を設けることによりシンボル間干渉が生じることはない。
【０００３】
例えば、ＯＦＤＭ信号の主波と反射波のガードインターバルの差分から雑音レベルと反射波の遅延時間を検出するガード差分検出部と、当該雑音レベルと反射波の遅延時間から制御信号を算出する第１のマルチパス算出部と、ＳＰ（Scattered Pilot）をＩＦＦＴして主波及び反射波の振幅レベルと遅延時間から制御信号を算出する第２のマルチパス算出部と、ＳＰをＦＦＴして検出した振幅レベルとドップラー周波数から制御信号を算出するドップラー周波数算出部による各々の制御信号と、移動体からの速度情報に基づき、時間内挿処理部を制御している（特許文献１参照）。
【０００４】
また、地上デジタル放送のＯＦＤＭ方式はシンボル長が長い特徴により単一周波数ネットワーク（以下ＳＦＮと称す）を構築することを可能としている。ＳＦＮの構築の一例に、放送波を受信して同一チャンネルにて再送信する方式がある。
【０００５】
しかし、この方式において再送信した信号が放送波を受信するアンテナに受かってしまう、「回り込み」が生じてしまう。この回り込みの影響により、再送信する放送波の信号品質が劣化、また、再送信するシステム，増幅器などが発振してしまうことが考えられる。これを回避するためには、送受信のアンテナを十分な間隔に離したり、回り込み波が生じないようアンテナ指向性を調整したり、回り込み波を打ち消すキャンセラー装置（回り込みキャンセラー）が必要となる。
【０００６】
ここで従来の受信装置における回り込みキャンセラー機能を有する等化部の構成を示すブロック図の図３を用いて回り込みキャンセラーについて説明する。
【０００７】
従来の受信装置における回り込みキャンセラー機能を有する等化部の構成を示すブロック図の図３において、受信した信号を同期回路1にてシンボルの開始位置を見つけ信号の同期を取り以降の処理の基準となる制御信号を生成する。そして、加算器２の出力信号をＦＦＴ部３に入力し、時間軸信号から周波数軸信号に変換する。その出力信号を伝送路推定部４に入力し、SPを抽出して伝送路特性を得る。伝送路特性はＦＦＴ窓位置補正部１０に入力される。ＦＦＴに取り込む位相がnサンプルずれると、ＦＦＴ演算後の信号の位相がn回転してしまう。シンボル間干渉を回避するためにマージンを設けたり、同期回路１の精度やクロックジッタによる位相変動によりＦＦＴに取り込み位置にずれが生じるため、ここでその回転分を補正する。回転を補正したデータは誤差算出部６にて誤差を算出し、ＩＦＦＴ部７にて時間軸信号に変換して、係数更新部８にてフィルタ係数を更新する。フィルタ９では、係数更新部８より入力された係数にて擬似的に回り込み波を生成する。生成した回り込み波を加算器２に入力し、等化部２１の入力信号と減算を行うことで回り込み波をキャンセルする。
【特許文献１】特開２００７−０９６６２６
【発明の開示】
【発明が解決しようとする課題】
【０００８】
ここで、従来の等化部におけるＦＦＴ窓位置補正部の構成を示すブロック図の図４を用いて窓位置補正部１０について詳細に説明する。  伝送路推定部４の出力信号（複素信号I，Q）を極座標変換部１０１で振幅信号rと位相信号θに変換する。もし、伝送路推定部４の出力信号に位相回転があると、位相情報θは回転の数分だけ位相の不連続点が生じる。例えば位相回転が3回転だとすると、不連続点が3点現れる。位相情報θは位相直線化部１０２へ、もう一方の振幅信号rは遅延補正部１０３−２に入力する。位相直線化部１０２では位相の不連続点を検出し、不連続点を検出する毎にoffset(2π)を加えて位相情報を直線にする(θ’)。直線化された信号θ’は、遅延補正部１０３−１と位相補正値算出部１０４に入力される。位相補正値算出部１０４では、最小二乗法を用いて直線の傾きαを算出し、位相補正部１０５に渡す。位相補正部１０５では直線の傾きαを用いて、−αの傾きを持った直線を生成し、θ’と加算することで位相の回転を補正する。位相補正された信号は、遅延された振幅信号rとともに直交座標変換部１０６に入力され、複素信号に変換される。
【０００９】
しかしこのとき、位相を直線化した情報θ’は、補正する回転量をｎとすると、少なくとも位相情報θの分解能のｎ倍以上の分解能を必要とする非常に大きなデータとなり、補正の演算には大規模な回路を必要とする。また、極座標へ変換した後に位相補正を行い、再び直交座標へ戻す構成のため、後段で求める誤差の算出結果に、変換による演算誤差が重畳され、演算精度が劣化する問題があった。
【００１０】
本発明はこれらの欠点を除去し、複雑な遅延プロファイルの環境下においても、中継伝送することができるＯＦＤＭ受信装置を提供することを目的とする。
【課題を解決するための手段】
【００１１】
本発明は上記目的を達成するために、有効シンボルにガードインターバルが付加されて変調された信号を受信する受信装置の復調用のFFT窓の取り出し位置のずれによる生じる位相回転を検出する手段において、極座標変換回路、位相検出回路、直交座標変換回路で構成された位相回転量の推定回路を有することを特徴とする位相回転検出手段である。
【００１２】
また、有効シンボルにガードインターバルが付加されて変調された信号を受信する受信装置の受信信号の先行波や遅延波などのマルチパス波をキャンセルする装置において、請求項１の位相回転検出手段を有し、上記位相回転検出手段で主波成分を検出することを特徴とするマルチパス波キャンセル装置である。
【００１３】
また、有効シンボルにガードインターバルが付加されて変調された受信信号を同じ周波数で再送信する中継装置の、受信アンテナに再送信信号が受信して生ずる回り込み波をキャンセルする装置において、請求項１の位相回転検出手段を有し、上記位相回転検出手段で主波成分を検出することを特徴とする回り込み波キャンセル装置である。
【００１４】
また上記の位相回転検出手段または上記のマルチパス波キャンセル装置の少なくとも一方を用いたことを特徴とする受信装置である。
【００１５】
また上記の受信装置において、変調方式が直交周波数分割多重方式(OFDM：Orthogonal Frequency Division Multiplexing)であることを特徴とする受信装置である。
【００１６】
また、上記の位相回転検出手段または上記のマルチパス波キャンセル装置のまたは上記の回り込み波キャンセル装置の少なくとも一方を用いたことを特徴とする中継装置である。
【００１７】
また、上記の中継装置において、変調方式が直交周波数分割多重方式(OFDM：Orthogonal Frequency Division Multiplexing)であることを特徴とする中継装置である。
【発明の効果】
【００１８】
以上説明したように、本発明に係るＯＦＤＭ受信装置によると、位相回転の推定を行い主波成分の位相とすることで、従来の伝送路特性の位相回転を補正する回路より、小規模な回路で実現でき、さらに演算誤差を減らし精度を向上することができ、回り込みキャンセルとマルチパスキャンセルとの精度を小規模な回路で向上させ、中継伝送することができる。
【発明を実施するための最良の形態】
【００１９】
以下、本発明の一実施例のキャンセル部を用いたＯＦＤＭ受信装置を含む中継装置について、図1を用いて説明する。
【００２０】
図１は本発明の一実施例のキャンセル部を用いたＯＦＤＭ受信装置を含む中継装置の構成を示すブロック図であり、図２は本発明の一実施例のキャンセル部おける検出部の構成を示すブロック図である。
【００２１】
本発明の一実施例のキャンセル部を用いたＯＦＤＭ受信装置を含む中継装置の構成を示すブロック図の図１において、アンテナ１１で受信された地上デジタル放送での中継回線の高周波受信信号はダウンコンバータ１２で中間周波数の受信信号に変換され、Ａ／Ｄ変換器１３によりサンプリングされ、等化部１４で、伝送路で生じた歪みを補正し、受信信号の先行波や遅延波などのマルチパス波や、受信アンテナに再送信信号が受信して生ずる回り込み波をキャンセルする等化処理を行う。等化部１４からの出力信号は再変調部１５に入力され、波形整形後のＯＦＤＭ信号を再生成し、Ｄ／Ａ変換器１６にてデジタル-アナログ変換されて中間周波数の中継信号としてアナログ信号を出力する。中間周波数の中継信号はアップコンバータ１７で地上デジタル放送での中継回線の高周波信号に変換され、アンテナ１８で送信される。
【００２２】
等化部１４で回り込みのキャンセルを行う場合、回り込みのキャンセル誤差Eｃ（ω）は、伝送路特性F(ω)、主波成分D(ω)より
2010124109.tif 000003
【００２３】
式（1）
の特性式より求められる。
【００２４】
また同様に、等化部１４でマルチパスのキャンセルを行う場合、マルチパスのキャンセル誤差Eｍ（ω）は、伝送路特性F(ω)、主波成分D(ω)より
2010124109.tif 000004
【００２５】
式（２）
の特性式より求められる。
【００２６】
ここで、FFTに取り込む位相がずれていた場合、その位相ずれが位相回転として伝送路特性に重畳されている。そのため、正しく回り込みやマルチパスのキャンセル誤差を求めるためには、伝送路特性の位相回転を補正したものを式（１）および（２）のF(ω)とするか、位相ずれによる位相回転を持つ主波成分をD(ω)としなければならない。本発明では位相回転を持つ主波成分を求めている。
【００２７】
本発明の一実施例のキャンセル部を用いたＯＦＤＭ受信装置を含む中継装置の構成を示すブロック図の図1における等化部１４の図3における等化部２１からの変更点は、窓位置補正回路１０が主波検出部5へ変わっているのみであり、主波検出部5についての詳細構成が本発明の一実施例のキャンセル部における検出部の構成を示すブロック図の図2である。極座標変換部５１で、伝送路特性（複素信号I,Q）を振幅信号rと位相信号θへ変換する。主波成分の振幅は固定値となることから、平均値算出部５４において、振幅信号rにより振幅の平均値raveを求める。また、主波の位相は本来、位相変動がない（θ=0）となることから、ＦＦＴの取り込みずれによる位相回転を検出すればよく、位相検出回部５３において位相信号θより位相ずれによる回転成分dθの検出を行う。振幅rave、位相dθを直交座標変換部５５で複素信号へ戻し、D(ω)とする。また図2の入力信号を遅延補正部５２でD(ω)と同タイミングとした伝送路特性をF（ω）とし、誤差算出部6の入力とする。以降の処理は従来と同様である。
【００２８】
ここで、位相検出部５３での位相ずれの検出方法について詳しく説明する。ＦＦＴの位相ずれによる回転は、一定の固定回転量となることから、位相ずれによる回転成分dθは一次直線となる。位相信号θのデータをy、データのサンプル値をxと考える。まず、現在の位相信号をyi、その1サンプル前のデータをyi-1とし、yi‐yi-1を計算し、その結果をdyとする。ただし、このとき位相に不連続点があった場合は、さらにoffset(2π)を加えて、象限が変わるサンプル間での変化量を補正する。このdyは、位相データの直線の傾きとなる。ｄｙを1シンボル間積分し、1シンボルのサンプル数で除算して、1シンボル間の平均値を求める。この平均値を傾きαと考える。そして、位相信号θの0サンプル目の値y0を切片βと考えると、ＦＦＴの取り込み位置のずれによる位相回転は
y=αx+β
の直線式により推定することができる。
【００２９】
以上、説明した処理により、複雑な遅延プロファイルの環境下においても、回り込みキャンセルとマルチパスキャンセルとの精度を小規模な回路で向上させ、中継伝送することが可能となる。
【００３０】
さらに、本発明の一実施例の地上デジタル放送のＯＦＤＭ受信装置の複調のＦＦＴを中心に説明したが、本発明は地上デジタル放送のＯＦＤＭに限らず、ガードインターバル期間があるデジタル変調方式の受信装置とガードインターバル期間があるデジタル変調方式の受信装置を用いた中継装置に適用できる。
【図面の簡単な説明】
【００３１】
【図１】本発明の一実施例の等化部を用いたＯＦＤＭ受信装置を含む中継装置の構成を示すブロック図
【図２】本発明の一実施例の等化部における検出部の構成を示すブロック図
【図３】従来の受信装置における等化部の構成を示すブロック図
【図４】従来の等化部におけるＦＦＴ窓位置補正部の構成を示すブロック図
【符号の説明】
【００３２】
１：同期部、２：加算器、３：ＦＦＴ部、４：伝送路推定部、５：主波検出部、
６：誤差算出部、７：ＩＦＦＴ部、８：係数更新部、９：フィルタ、
１０：FFT窓位置補正部、１１、１８：アンテナ、１２：ダウンコンバータ、
１３：Ａ／Ｄ変換器、１４、２１：等化部、１５：再変調部、１６：Ｄ／Ａ変換器、
１７：アップコンバータ、５１：極座標変換部、５２：遅延補正部、
５３：位相検出部、５４：平均値算出部、５５：直交座標変換部、
１０１：極座標変換部、１０２：位相直線化部、
１０３−１、１０３−２、１０３−３：遅延補正部、１０４：位相補正値算出部、
１０５：位相補正部、１０６：直交座標変換部、１０７：平均値算出部
【図１】
2010124109.tif 000007
【図２】
2010124109.tif 000008
【図３】
2010124109.tif 000009
【図４】
2010124109.tif 000010